(57)【要約】【課題】狭窄部に対する通過性能が向上したガイドワイヤを提供することを目的とする。【解決手段】ガイドワイヤ１００は、コアシャフト１と、素線を螺旋状に巻回して形成され、コアシャフト１を囲むようにコアシャフト１に固定されたコイル体２と、内部にコアシャフト１が挿通され、コイル体２の内側に回転可能に配置された管状体５と、を備え、管状体５は、管状体５の外周にコイル体２の素線と螺合する螺旋状の凸部６を有している。  【選択図】図１
2017221562.tif 000002
【特許請求の範囲】
【請求項１】
コアシャフトと、
素線を螺旋状に巻回して形成され、前記コアシャフトを囲むように前記コアシャフトに固定されたコイル体と、
内部に前記コアシャフトが挿通され、前記コイル体の内側に移動可能に配置された管状体と、を備え、
前記管状体は、前記管状体の外周に前記コイル体の前記素線と螺合する螺旋状の凸部を有していることを特徴とするガイドワイヤ。
【請求項２】
請求項１に記載のガイドワイヤにおいて、
前記管状体は、
中空体と、
前記中空体の外周に素線を螺旋状に巻回して形成された前記螺旋状の凸部と、からなるガイドワイヤ。
【請求項３】
請求項１又は２に記載のガイドワイヤにおいて、
前記螺旋状の凸部は、前記コイル体よりも前記コイル体の径方向外側に突出しているガイドワイヤ。
【発明の詳細な説明】
【技術分野】
【０００１】
本発明は、血管に挿入されるガイドワイヤに関する。
【背景技術】
【０００２】
従来、治療や検査のために、血管に挿入して使用されるカテーテルを案内するガイドワイヤとして、様々なものが提案されている。
【０００３】
下記特許文献１には、ガイドワイヤと、ガイドワイヤが挿入される筒状のダイレータと、を備えた医療用デバイスが記載されている。ガイドワイヤはダイレータの長手方向に移動可能なように挿入され、ダイレータは先端面にガイドワイヤが出没可能な開口を有する。ガイドワイヤの先端部には螺旋状の雄ネジ部が設けられ、ダイレータの開口にはガイドワイヤの雄ネジ部と螺合する雌ネジ部が設けられている。ダイレータを周方向に回転させることにより、ガイドワイヤの雄ネジ部に沿って、ダイレータを前進させることができる。
【０００４】
下記特許文献２には、回転軸と回転軸上を回転軸に沿って移動可能な移動体とを備えた物体移動装置が記載されている。回転軸は、正逆回転可能な螺旋体（円筒コイル）により構成され、螺旋体の外径には雄ネジ部が設けられている。移動体は螺旋体（円筒コイル）を内装しており、この螺旋体の内径には、回転軸の雄ネジ部と螺合可能な雌ネジ部が設けられている。このため、移動体は、回転軸の正逆回転によって、回転軸の螺旋体上を前後に移動可能となる。
【先行技術文献】
【特許文献】
【０００５】
【特許文献１】特開２０１２−９５８１２号公報
【特許文献２】特開平１１−２８５４２０号公報
【発明の概要】
【発明が解決しようとする課題】
【０００６】
特許文献１に記載のガイドワイヤでは、血管の狭窄部にガイドワイヤの先端部が把持されて動けなくなってしまった場合、先端部の雄ネジ部と血管の狭窄部とが互いに螺合しているという関係にないため、ガイドワイヤを狭窄部より先へ進めることは困難である。
【０００７】
特許文献２に記載の移動体を特許文献１に記載のガイドワイヤの先端部に適用した場合、移動体がガイドワイヤの径方向に突出してしまうため、ガイドワイヤの先端部が血管の狭窄部に進入することすら困難となる。依って、この場合もガイドワイヤを血管の狭窄部より先へ進めることは困難となる。
【０００８】
本発明はこのような事情に鑑みてなされたものであり、血管の狭窄部に対する通過性能が向上したガイドワイヤを提供することを目的とする。
【課題を解決するための手段】
【０００９】
本発明の第１の実施態様はコアシャフトと、素線を螺旋状に巻回して形成され、前記コアシャフトを囲むように前記コアシャフトに固定されたコイル体と、内部に前記コアシャフトが挿通され、前記コイル体の内側に移動可能に配置された管状体と、を備え、前記管状体は、前記管状体の外周に前記コイル体の前記素線と螺合する螺旋状の凸部を有していることを特徴とするガイドワイヤである。
【００１０】
本発明の第２の実施態様は、第１の実施態様に記載のガイドワイヤにおいて、前記管状体は、中空体と、前記中空体の外周に素線を螺旋状に巻回して形成された前記螺旋状の凸部と、からなるガイドワイヤである。
【００１１】
本発明の第３の実施態様は、第１又は第２の実施態様に記載のガイドワイヤにおいて、前記螺旋状の凸部は、前記コイル体よりも前記コイル体の径方向外側に突出しているガイドワイヤである。
【発明の効果】
【００１２】
本発明の第１の実施態様は、コアシャフトと、素線を螺旋状に巻回して形成され、前記コアシャフトを囲むように前記コアシャフトに固定されたコイル体と、内部に前記コアシャフトが挿通され、前記コイル体の内側に移動可能に配置された管状体と、を備え、前記管状体は、前記管状体の外周に前記コイル体の前記素線と螺合する螺旋状の凸部を有しているガイドワイヤであるので、例えば、ガイドワイヤが狭窄部に狭持され動けなくなった場合でも、ガイドワイヤを回転させることで、狭窄部に管状体を残した状態で、ガイドワイヤをさらに先へと進めることが可能となる。
【００１３】
本発明の第２の実施態様は、第１の実施態様に記載のガイドワイヤにおいて、前記管状体は、中空体と、前記中空体の外周に素線を螺旋状に巻回して形成された前記螺旋状の凸部と、からなるガイドワイヤであるので、前記螺旋状の凸部をより容易に形成することが可能となる。
【００１４】
本発明の第３の実施態様は、第１又は第２の実施態様に記載のガイドワイヤにおいて、前記螺旋状の凸部は、前記コイル体よりも前記コイル体の径方向外側に突出しているガイドワイヤであるので、前記コイル体よりも前記螺旋状の凸部が形成された前記管状体の方を、狭窄部に狭持され易くすることができ、ガイドワイヤを狭窄部の先へより進め易くすることができる。
【図面の簡単な説明】
【００１５】
【図１】第１実施形態にかかるガイドワイヤの縦断面の概要図である。
【図２】第１実施形態にかかるガイドワイヤが狭窄部に狭持された状態を示す図である。
【図３】第１実施形態にかかるガイドワイヤが狭窄部に狭持された状態を示す図である。
【図４】第２実施形態にかかるガイドワイヤの縦断面の概要図である。
【図５】第２実施形態にかかるガイドワイヤの管状体および螺旋状の凸部の概要図である。
【図６】第３実施形態にかかるガイドワイヤの縦断面の概要図である。
【発明を実施するための形態】
【００１６】
以下、本発明のガイドワイヤを具体化した実施形態を詳細に説明する。なお、図１乃至４、及び図６においては、左側が体内に挿入される先端側（遠位側）であり、右側が医師等の手技者によって操作される後端側（近位側、基端側）である。
【００１７】
［第１実施形態］
図１に示すように、例えば、血管に挿入されるガイドワイヤ１００は、先端側が細径で基端側が太径とされた先細り丸棒形状の金属材料で構成されたコアシャフト１と、コアシャフト１の先端側の外周に巻回された金属材料で構成されたコイル体２と、コアシャフト１の先端とコイル体２の先端とを固着する先端固着部３と、先端固着部３よりも基端側に位置し、コイル体２の中間部とコアシャフト１とを固着する中間固着部４と、コアシャフト１が挿通され、コイル体２の内側に配置され、外周に螺旋状の凸部６が形成された中空の管状体５と、を備えている。
【００１８】
コアシャフト１は、中間固着部４から基端側の所定位置まで、外形が漸進的に太くなるテーパ形状を有している。また、コアシャフト１は、例えば、ステンレス鋼（ＳＵＳ３０４、ＳＵＳ３１６等）やＮｉ−Ｔｉ合金等の超弾性合金で構成されている。
【００１９】
コイル体２は、例えば、ステンレス鋼（ＳＵＳ３０４、ＳＵＳ３１６等）やＮｉ−Ｔｉ合金等の超弾性合金から成る金属素線が、螺旋状に巻回されて形成されたコイル体である。
【００２０】
先端固着部３及び中間固着部４は、アルミニウム合金ロウ、銀ロウ、金ロウ等のロウ材で構成されている。
【００２１】
螺旋状の凸部６を有する管状体５は、例えば、コイル体２と同じ金属材料から成る管状部材を切削加工することにより形成される。螺旋状の凸部６を有する管状体５とコイル体２とは、外径が略同一となるように構成されている。螺旋状の凸部６はコイル体２を構成する素線に対して回転可能に螺合する。したがって、通常、管状体５は、コアシャフト１及びコアシャフト１に固着されたコイル体２と一体となって移動するが、例えば、管状体５が、コイル体２に対して回転可能な状態で、コアシャフト１の長手方向に対して垂直な方向から狭持された場合には、コアシャフト１の後端を回転させることによって、コアシャフト１及びコイル体２を、管状体５に対してコアシャフト１の長手方向に相対移動させることができる。コアシャフト１及びコイル体２の相対移動は、管状体５が先端固着部３に接触する位置から中間固着部４に接触する位置まで行うことができる。
【００２２】
図２に示すように、血管に挿入されたガイドワイヤ１００の先端部が、血管内の狭窄部７に狭持された場合、コアシャフト１の後端を回転させることにより、狭窄部７に管状体５を残した状態で、コアシャフト１及びコイル体２を狭窄部７より先へと進めることができる（図３参照）。コアシャフト１は中間固着部４から基端側に向かって漸進的に太くなっている。したがって、コアシャフト１の後端を回転させることにより管状体５が中間固着部４まで相対移動したあとは、コアシャフト１の後端を先端側に向かって押すことによりガイドワイヤ１００を狭窄部７の先へ進めることができる。尚、管状体５は中空体であるため、その移動途中において血流の確保が可能となる。また、図１−３に示すように、管状体５には、螺旋状の凸部６が３巻分設けられているが、螺旋状の凸部６の巻数はこれに限定されるものではなく適宜変更可能である。
【００２３】
以上、述べたように、第１実施形態にかかるガイドワイヤ１００は、コイル体２の内側に、外周に螺旋状の凸部６を有する管状体５を備えている。そして、螺旋状の凸部６はコイル体２を構成する素線に対して回転可能に螺合する。このため、螺旋状の凸部６を有する管状体５が狭窄部７によって狭持された場合でも、コアシャフト１の後端を回転させることにより、狭窄部７に管状体５を残した状態で、コアシャフト１及びコイル体２を狭窄部７より先へと進めることができる。即ち、ガイドワイヤ１００によると、血管内の狭窄部７に対する通過性能を向上させることができる。
【００２４】
第１実施形態のガイドワイヤ１００は、例えば、次の方法で作製することができる。
まず、コアシャフト１の材料となるＳＵＳ３０４から成る金属線の一端をセンタレス研磨機によって外周研削し、先端部の外径が減少したコアシャフト１を作製する。
【００２５】
次に、ＳＵＳ３０４から成る素線をコイル体２作製用の芯金に螺旋状に巻回して、コイル体２の素線がコイル体２作製用の芯金に巻回された状態で熱処理を行い、その後、コイル体２作製用の芯金を抜き取ってコイル体２を作製する。
【００２６】
次に、ＳＵＳ３０４から成る管状部材を切削加工することにより螺旋状の凸部６を有する中空の管状体５を作製する。
【００２７】
次に、管状体５の螺旋状の凸部６とコイル体２の素線とを螺合させ、管状体５をコイル体２の内側に配置する。
【００２８】
次に、コアシャフト１を、管状体５が内側に配置されたコイル体２の基端から挿入し、コイル体２の先端がコアシャフト１の先端に位置するように、コイル体２およびコアシャフト１の位置を調整し、この状態で、コイル体２の基端とコアシャフト１とをロウ材で固定して基端固着部（図示せず）を形成する。
【００２９】
次に、コイル体２の先端とコアシャフト１の先端とをロウ材で固定して、先端固着部３を形成する。
【００３０】
そして、最後に、コイル体２の中間部とコアシャフト１とをロウ材で固定して、中間固着部４を形成する。
【００３１】
尚、上述した製造方法や順序に限らず、公知の方法によってガイドワイヤ１００を作製してもよい。
【００３２】
［第２実施形態］
第２実施形態のガイドワイヤ２００を、図４及び図５にしたがって説明する。尚、上記第１実施形態と同様の構成を有するものは同じ符号を付し、説明を省略する。
【００３３】
図４に示すように、ガイドワイヤ２００は、コアシャフト１が挿通されコイル体２の内側に配置された中空の管状体８と、管状体８の外周に設けられた螺旋状の凸部９とを備えている。図５に示すように、螺旋状の凸部９は、金属素線を螺旋状に巻回して形成されたコイル体を管状体８に固着することによって構成されている。このような構成とすることにより、管状体８の外周に、より容易に螺旋状の凸部９を構成することができる。尚、図４に示すように、管状体８には、螺旋状の凸部９が３巻分設けられているが、螺旋状の凸部９の巻数はこれに限定されるものではなく適宜変更可能である。
【００３４】
［第３実施形態］
第３実施形態のガイドワイヤ３００を、図６にしたがって説明する。尚、上記第１実施形態と同様の構成を有するものは同じ符号を付し、説明を省略する。
【００３５】
図６に示すように、ガイドワイヤ３００は、コアシャフト１が挿通されコイル体２の内側に配置された中空の管状体１０と、管状体１０の外周に設けられた螺旋状の凸部１１とを備えている。螺旋状の凸部１１は、管状体１０に金属素線を螺旋状に巻回して形成されたコイル体を固着することによって構成されている。尚、管状体１０に、金属素線を螺旋状に巻回して形成されたコイル体を固着することに替えて、管状体１０と螺旋状の凸部１１を一体的に形成してもよい。
【００３６】
図６に示すように、螺旋状の凸部１１は、コアシャフト１の長手方向に対して垂直な方向（コイル体２の径方向）において、コイル体２よりも突出している。換言すると、螺旋状の凸部１１を含む管状体１０の外径はコイル体２の外径よりも大きくなるように構成されている。
【００３７】
第３実施形態のガイドワイヤ３００によると、コイル体２よりも管状体１０の方が狭窄部７（図２、３参照）に狭持されやすくなる。この結果、ガイドワイヤ３００をより容易に狭窄部７（図２、３参照）の先へと進めることができる。尚、図６に示すように、管状体１０には、螺旋状の凸部１１が３巻分設けられているが、螺旋状の凸部１１の巻数はこれに限定されるものではなく適宜変更可能である。
【符号の説明】
【００３８】
１００、２００、３００      ガイドワイヤ
１                          コアシャフト
２                          コイル体
３                          先端固着部
４                          中間固着部
５、８、１０                管状体
６、９、１１                螺旋状の凸部
７                          狭窄部
【図１】
2017221562.tif 000003
【図２】
2017221562.tif 000004
【図３】
2017221562.tif 000005
【図４】
2017221562.tif 000006
【図５】
2017221562.tif 000007
【図６】
2017221562.tif 000008